(57)【要約】【課題】屋根の立ハゼ部に対して、上方への抜け外れや上動によるガタつきを防止した状態で極めて強固に固定できる屋根用雪止め取付金具を提供すること。【解決手段】金具本体５は、一対の挟持部材６を左右に対向配設し、この挟持部材６間に締付ボルト10を貫通配設し、この締付ボルト10により各挟持部材６の下部に形成した挟持部７を締め付け接近して屋根１の立ハゼ部２の首部３を締め付け挟持するように構成し、前記挟持部７の上方に、この挟持部７が前記立ハゼ部２の首部３を締め付け挟持した際に首部３の上方に存する立ハゼ部２の幅広頭部４の下側に下方から圧接するハゼ頭当接部11を設ける。【選択図】図２
2016048000.tif 000002
【特許請求の範囲】
【請求項１】
屋根の立ハゼ部の首部に締め付け挟持する挟持部を設けた金具本体に、アングルや羽根板などの雪止め材を取り付け可能な取付部を設けた屋根用雪止め取付金具において、前記金具本体は、一対の挟持部材を左右に対向配設し、この挟持部材間に締付ボルトを貫通配設し、この締付ボルトにより各挟持部材の下部に形成した前記挟持部を締め付け接近して前記立ハゼ部の首部を締め付け挟持するように構成し、前記挟持部の上方に、この挟持部が前記立ハゼ部の首部を締め付け挟持した際に首部の上方に存する巻き込み部や嵌合部などの幅広頭部の下側に下方から圧接するハゼ頭当接部を設けたことを特徴とする屋根用雪止め取付金具。
【請求項２】
前記挟持部の上方に、この挟持部が前記立ハゼ部の首部を締め付け挟持した際に立ハゼ部の前記幅広頭部の下側に下方から圧接する傾斜縁部を形成して、この傾斜縁部を、前記挟持部の締付力の増大に伴って前記幅広頭部への圧接力が増大する前記ハゼ頭当接部としたことを特徴とする請求項１記載の屋根用雪止め取付金具。
【請求項３】
前記各挟持部材を板材で構成し、この各挟持部材の少なくとも前後縁を対向内側に折曲し、この各折曲板部の下部を前記挟持部とし、この折曲板部の前記挟持部より上方側を各折曲板部の対向外側に向かって凹む形状の凹状縁に形成して、この対向する凹状縁間に前記立ハゼ部の幅広頭部を配設し得るように構成すると共に、この各凹状縁に、前記挟持部が前記立ハゼ部の首部を締め付け挟持した際に前記立ハゼ部の幅広頭部の下側に下方から圧接する傾斜縁部を形成して、この傾斜縁部を前記ハゼ頭当接部としたことを特徴とする請求項１，２のいずれか１項に記載の屋根用雪止め取付金具。
【請求項４】
前記挟持部材若しくは前記挟持部に、この挟持部が前記立ハゼ部の首部を締め付け挟持した際に前記幅広頭部の下方に配設する係止突起を、この挟持部材若しくは挟持部の対向内側に向けて突設したことを特徴とする請求項１〜３のいずれか１項に記載の屋根用雪止め取付金具。
【請求項５】
前記挟持部材若しくは前記挟持部の複数箇所に前記係止突起を突設したことを特徴とする請求項４記載の屋根用雪止め取付金具。
【発明の詳細な説明】
【技術分野】
【０００１】
本発明は、屋根用雪止め取付金具に関するものである。
【背景技術】
【０００２】
従来の屋根用雪止め取付金具としては、屋根の適宜な固定箇所に固定可能な固定部の軒先側の端部に、雪止め機能を有する平板状の羽根板部を設けたり、固定部の上部にアングルや羽根板などの雪止め材を取付可能な取付部を設けたものが一般的である。
【０００３】
また、この種の屋根用固定金具の前記固定部は、固定する屋根の形式によって色々なタイプが存在するが、縦葺屋根用や折板屋根用は、左右一対の挟持部材間に締付ボルトを架設し、この左右一対の挟持部材の夫々の下端部を挟持部とし、前記締付ボルトに螺着したナットを締付回動することにより前記挟持部間を狭めて、この左右の挟持部によって立設する立ハゼ部の首部を締め付け挟持して固定する構成となっている（例えば、特許文献１参照。）。
【０００４】
ところで、このような（挟持）固定部を有する屋根用雪止め取付金具は、固定部を固定後（屋根用雪止め取付金具を縦葺屋根や折板屋根上に設置固定した後）にアングルや羽根板などの雪止め材に積雪の大きな荷重が加わると、雪止め材が屋根の軒側に倒れようとして固定部の雪止め材より棟側に存する部位を上方へ浮き上がらせようとする強い力が作用し、場合によっては固定部が立ハゼ部から上方へ抜け外れてしまうことが懸念される。
【０００５】
そこで、従来、下記特許文献２のように、立ハゼ部の首部を締め付け挟持する挟持部に、この左右の挟持部による締め付け挟持状態の前記固定部が立ハゼ部に対して上動した際に首部の上方に存する立ハゼ部の幅広頭部に係止する係止部を設けて、この係止部が幅広頭部に係止することによって固定部のそれ以上の上動が阻止されるように構成したものも提案されている。
【先行技術文献】
【特許文献】
【０００６】
【特許文献１】特許第３０６２４５８号公報
【特許文献２】特許第５２０００７８号公報
【発明の概要】
【発明が解決しようとする課題】
【０００７】
本発明は、上記したような屋根の立ハゼ部に挟持固定する取付金具の改良に係るもので、縦葺屋根や折板屋根の立ハゼ部に対し上動不能な位置決め状態で強固に固定できる実用性に優れた屋根用雪止め取付金具を提供するものである。
【課題を解決するための手段】
【０００８】
添付図面を参照して本発明の要旨を説明する。
【０００９】
屋根１の立ハゼ部２の首部３に締め付け挟持する挟持部７を設けた金具本体５に、アングル８Ａや羽根板などの雪止め材８を取り付け可能な取付部９を設けた屋根用雪止め取付金具において、前記金具本体５は、一対の挟持部材６を左右に対向配設し、この挟持部材６間に締付ボルト10を貫通配設し、この締付ボルト10により各挟持部材６の下部に形成した前記挟持部７を締め付け接近して前記立ハゼ部２の首部３を締め付け挟持するように構成し、前記挟持部７の上方に、この挟持部７が前記立ハゼ部２の首部３を締め付け挟持した際に首部３の上方に存する巻き込み部４Ａや嵌合部などの幅広頭部４の下側に下方から圧接するハゼ頭当接部11を設けたことを特徴とする屋根用雪止め取付金具に係るものである。
【００１０】
また、前記挟持部７の上方に、この挟持部７が前記立ハゼ部２の首部３を締め付け挟持した際に立ハゼ部２の前記幅広頭部４の下側に下方から圧接する傾斜縁部11を形成して、この傾斜縁部11を、前記挟持部７の締付力の増大に伴って前記幅広頭部４への圧接力が増大する前記ハゼ頭当接部11としたことを特徴とする請求項１記載の屋根用雪止め取付金具に係るものである。
【００１１】
また、前記各挟持部材６を板材で構成し、この各挟持部材６の少なくとも前後縁を対向内側に折曲し、この各折曲板部12の下部を前記挟持部７とし、この折曲板部12の前記挟持部７より上方側を各折曲板部12の対向外側に向かって凹む形状の凹状縁13に形成して、この対向する凹状縁13間に前記立ハゼ部２の幅広頭部４を配設し得るように構成すると共に、この各凹状縁13に、前記挟持部７が前記立ハゼ部２の首部３を締め付け挟持した際に前記立ハゼ部２の幅広頭部４の下側に下方から圧接する傾斜縁部11を形成して、この傾斜縁部11を前記ハゼ頭当接部11としたことを特徴とする請求項１，２のいずれか１項に記載の屋根用雪止め取付金具に係るものである。
【００１２】
また、前記挟持部材６若しくは前記挟持部７に、この挟持部７が前記立ハゼ部２の首部３を締め付け挟持した際に前記幅広頭部４の下方に配設する係止突起14を、この挟持部材６若しくは挟持部７の対向内側に向けて突設したことを特徴とする請求項１〜３のいずれか１項に記載の屋根用雪止め取付金具に係るものである。
【００１３】
また、前記挟持部材６若しくは前記挟持部７の複数箇所に前記係止突起14を突設したことを特徴とする請求項４記載の屋根用雪止め取付金具に係るものである。
【発明の効果】
【００１４】
本発明は上述のように構成したから、挟持部で屋根の立ハゼ部の首部を締付挟持した際にハゼ頭当接部が立ハゼ部の幅広頭部の下側に下方から圧接するので、金具本体を立ハゼ部に対し上動不能な位置決め状態に固定でき、これにより金具本体や取付部に取り付けた雪止め材に屋根積雪の大きな荷重が加わることで金具本体を立ハゼ部に対し上動させようとする強い荷重が加わっても、立ハゼ部に対して金具本体がガタついたり上方へ抜け外れたりすることが確固に防止される極めて実用性に優れた屋根用雪止め取付金具となる。
【００１５】
また、請求項２記載の発明においては、挟持部を屋根の立ハゼ部の首部に強固に締め付け挟持するほど、ハゼ頭当接部の幅広頭部への圧接力が増大して強固な位置決め固定効果が発揮される一層実用性に優れた構成の屋根用雪止め取付金具となる。
【００１６】
また、請求項３記載の発明においては、少なくとも前後二箇所のハゼ頭当接部が立ハゼ部の幅広頭部に圧接するため、一層強固な位置決め効果が発揮されると共に、この強固な位置決め固定効果を発揮するハゼ頭当接部を簡易構成にして容易に設計実現可能となる一層実用性に優れた構成の屋根用雪止め取付金具となる。
【００１７】
また、請求項４，５記載の発明においては、挟持部で立ハゼ部の首部を締め付け挟持した際に係止突起が幅広頭部の下方に配設するから、例えばハゼ頭当接部が圧接する幅広頭部の変形等によって金具本体が立ハゼ部に対し上動しようとしても、係止突起が立ハゼ部の幅広頭部に下方から係止して上方への強固な抜止効果を発揮できる極めて実用性に優れた構成の屋根用雪止め取付金具となり、特に請求項５記載の発明のように構成した場合には、複数の係止突起によって一層良好な上動抜止防止効果を発揮できる。
【図面の簡単な説明】
【００１８】
【図１】本実施例を示す斜視図である。
【図２】本実施例の挟持部を締め付け挟持して金具本体を立ハゼ部に固定しようとする途中（締め付け途中）の状態を示す正面図、並びに本実施例の使用状態を示す正面図である。
【図３】本実施例の使用状態を示す側面図である。
【図４】本実施例を示す底面図である。
【図５】本実施例の係止突起が立ハゼ部の首部に締め付け挟持する様子を示す部分拡大説明正断面図である。
【発明を実施するための形態】
【００１９】
好適と考える本発明の実施形態を、図面に基づいて本発明の作用を示して簡単に説明する。
【００２０】
左右一対の挟持部材６で屋根１の立ハゼ部２を挟むようにして屋根１上に金具本体５を配置し、左右の挟持部材６間に貫通配設した締付ボルト10により各挟持部材６の下部に形成した前記挟持部７を締め付け接近して前記立ハゼ部２の首部３を締め付け挟持すると、金具本体５（本発明の屋根用雪止め取付金具）が屋根１上に固定される。
【００２１】
また、本発明は、締付ボルト10により挟持部７を締め付け接近した際に、挟持部７の上方に設けたハゼ頭当接部11が立ハゼ部２の首部３の上方に存する巻き込み部４Ａや嵌合部などの幅広頭部４の下側に下方から圧接することになる。
【００２２】
従って、金具本体５（のハゼ頭当接部11）は、立ハゼ部２に対して上動しようとしてもこの上動が立ハゼ部２の幅広頭部４に阻止されて挟持固定位置から上動できない位置決め状態となる。
【００２３】
このようにして屋根１上に固定された金具本体５の取付部９に、アングル８Ａや羽根板などの雪止め材８を取り付けると、屋根１上の積雪の雪止めとして機能する。
【００２４】
この雪止め材８や金具本体５に屋根１積雪の大きな荷重が加わると、雪止め材８が屋根１の軒側に倒れようとして金具本体５の棟側に存する部位が上動しようとする。
【００２５】
そして、この力が非常に強いと金具本体５（左右一対の挟持部材６）が前記立ハゼ部２に対して上動しようとするが、本発明においては、前述のように金具本体５（ハゼ頭当接部11）の上動が立ハゼ部２の幅広頭部４に阻止されて挟持固定位置から上動できない位置決め状態で固定されているので、大きな積雪荷重を受けても、金具本体５が屋根１に対し上動してガタついたり立ハゼ部２に対して上方へ抜け外れたりすることがない。
【実施例】
【００２６】
本発明の具体的な実施例について図面に基づいて説明する。
【００２７】
本実施例は、屋根１の立ハゼ部２の首部３に締め付け挟持する挟持部７を設けた金具本体５に、アングル８Ａや羽根板などの雪止め材８を取り付け可能な取付部９を設けた屋根用雪止め取付金具に関するものである。尚、本実施例は、固定対象の屋根１として縦葺き屋根１（巻きハゼ式のたて平葺き屋根１を示しているが、嵌合式のたて平葺き屋根１を固定対象としても良い。）を示しているが、立ハゼ部２を有するハゼ式折板屋根１を固定対象としても良い。
【００２８】
本実施例の前記金具本体５は、一対の挟持部材６を左右に対向配設し、この挟持部材６間に締付ボルト10を貫通配設すると共に、この締付ボルト10は挟持部材６に対し回り止め状態に設け、この締付ボルト10のボルト先端に締付ナット15（六角ナット15）を螺着し、この締付ボルト10と締付ナット15の締付螺動操作により各挟持部材６の下部に形成した前記挟持部７を締め付け接近して前記立ハゼ部２の首部３を締め付け挟持し、これにより屋根１上に固定できる構成としている。
【００２９】
また、この金具本体５は、図１，図３，図４に示すように、屋根１の立ハゼ部２の長さ方向に沿う前後長さを有する形状に形成すると共に、この金具本体５の前後二箇所に前記締付ボルト10を貫通配設して、この前後の締付ボルト10により金具本体５の二箇所を締め付け可能な構成としている。
【００３０】
更に具体的には、金具本体５は、図１，図２に示すように、一枚の金属板を折曲形成して天板部16の左右から対向板部６が下方へ折曲垂下する転コ字状に形成して、この左右の対向板部６を前記一対の挟持部材６としている。即ち、本実施例では、左右一対の挟持部材６を一体物で構成した場合を示している。尚、一対の挟持部材６を夫々別部品として構成しても良い。
【００３１】
また、金具本体５は、前記各挟持部材６の前後縁と、後側の前記締付ボルト10よりやや前方の後側寄り位置とに、後縁部では後方に、他の二箇所では前方に突出する突板部を有する形状に前記金属板を設定構成し、この各突板部を対向内側に折曲すると共に、この各折曲板部12の下部の対向内側縁を前記挟持部７として、この対向する挟持部７が前記締付ボルト10（締付ナット15）の締付に伴って接近移動し、各挟持部７間に配した立ハゼ部２の首部３を締め付け挟持する構成としている。即ち、本実施例では、金具本体５の前後位置と後端部よりやや前方の後側寄り位置との合計三箇所に前記挟持部７を設けて、この三箇所の挟持部７で立ハゼ部２の首部３を左右から締め付け挟持する構成としている。
【００３２】
また、この金具本体５は、前記金属板を転コ字状に折曲することで、前記天板部16から左右の挟持部材６に至る箇所に側面視Ｌ字状の切欠部９が形成される展開形状の前記金属板で構成し、この切欠部９を、前記雪止め材８としての雪止めアングル８Ａを挿入して固定可能な前記取付部９としている。
【００３３】
更に詳しくは、金具本体５の天板部16の長さ方向の中間部より後側寄り位置から切欠されて、挟持部材６の高さ方向の中ほどに至る縦切欠部17を形成し、この縦切欠部17の下部から連設状態に略直角前方へ切欠される横切欠部18を形成して、この縦切欠部17と横切欠部18とが側面視でＬ字状に連設する形状の前記取付部９を構成し、この取付部９の縦切欠部17にアングル８Ａの縦板部を挿入すると共に、取付部９の横切欠部18にアングル８Ａの横板部を挿入することで取付部９にアングル８Ａを略水平に取付可能な構成としている。図中符号26はアングル８Ａの横板部を載置支持する支持片部である。
【００３４】
即ち、本実施例では、アングル８Ａの取り付けに適した取付部９を構成した場合を示している。尚、この取付部９は、図示省略の雪止め用羽根板の取り付けに適した構成を採用しても良い。
【００３５】
また、この取付部９へのアングル８Ａの取付構造について説明すると、前記横切欠部18の上方の前記天板部16に雌ネジ孔19を上下方向に貫通形成し、この雌ネジ孔19に取付ネジ20を上方から螺着して、この取付ネジ20で横切欠部18に挿入したアングル８Ａの横板部上面を締め付けることでアングル８Ａを着脱可能に取付固定する構造としている。
【００３６】
また、この取付部９は、その側面開口形状に沿って水平側方からアングル８Ａを挿入させることができるが、前記縦切欠部17の上方開口部からも挿入可能となるように縦切欠部17の前後開口幅を設定構成し、更に縦切欠部17に上方からアングル８Ａの横板部を傾けつつ挿入したり、横板部を傾けつつ縦切欠部17からアングル８Ａを上方へ挿脱したりできるように、縦切欠部17の上方後縁部をＲ形状に形成して、このＲ縁部21により縦切欠部17の上方開口部の前後幅がそれより低い位置の前後幅より大きくなる構成としている。
【００３７】
また、この縦切欠部17の前後開口幅は、アングル８Ａの横板部の前後幅よりも小さく設定し、これにより前記取付ネジ20によるアングル８Ａの締付固定状態が緩んでアングル８Ａが後方へ移動しても、アングル８Ａの横板部の前端部が縦切欠部17の前縁部に至って抜脱する前に、アングル８Ａの横板部の後端部と縦板部の後面部とが前記Ｒ縁部21下方の立ち上がり縁22に当接して、アングル８Ａの抜脱が防止される構成としている。
【００３８】
また、金具本体５は、取付部９より前側に存する天板部16を、その前側程低くなる傾斜形状に形成すると共に、この傾斜天板部16の上面にビード加工を施すことで、この天板部16を補強しつつこの天板部16上面にその長さ方向（前後方向）に沿った長さの水切り溝23を形成し、この傾斜水切り溝23を介して雨水などが良好に排水されて金具本体５が腐食しにくい構成としている。
【００３９】
また、図面の金具本体５は、取付部９より後側に存する挟持部材６（対向板部６）は左右に分割形成し、この金具本体５後部では、後側左右の各対向板部６の上部を夫々対向内側に折曲して互いを重合することで、この重合板部を前記天板部16とした場合を示している。
【００４０】
本実施例は、前記挟持部７の上方に、この挟持部７が前記立ハゼ部２の首部３を締め付け挟持した際に首部３の上方に存する幅広頭部４（巻き込み部４Ａ）の下側に下方から圧接するハゼ頭当接部11を設けている。尚、図面は巻きハゼ式のたて平葺き屋根１の立ハゼ部２の巻き込み部４Ａ（幅広頭部４）にハゼ頭当接部11が圧接するようにした場合を示しているが、取付対象を嵌合式のたて平葺き屋根１とした場合には、立ハゼ部２の嵌合部（幅広頭部４）にハゼ頭当接部11が圧接することになる。
【００４１】
具体的には、前記各折曲板部12の折曲先端縁（対向内側縁）の前記挟持部７より上方側を各折曲板部12の対向外側に向かって凹む形状の凹状縁13に形成して、この対向する凹状縁13間に前記立ハゼ部２の幅広頭部４を配設し得るように構成している。そして、この対向する凹状縁13間に立ハゼ部２の幅広頭部４を配設した状態で、首部３を挟持部７で締め付け挟持し得るように構成している。
【００４２】
また、この各凹状縁13は、図２に示すように、左右対称のくの字形に凹む形状に形成し、この各凹状縁13の下側の傾斜縁部11を前記ハゼ頭当接部11として、前記挟持部７が前記立ハゼ部２の首部３を締め付け挟持した際に、このハゼ頭当接部11が立ハゼ部２の前記幅広頭部４の下側に下方から圧接し、傾斜縁部11であることから締付ボルト10（締付ナット15）の締付力の増大に伴って圧接力が増大することになる構成としている（図２参照）。
【００４３】
そして、このハゼ頭当接部11が立ハゼ部２の前記幅広頭部４の下側に下方から圧接することにより、金具本体５（のハゼ頭当接部11）は、立ハゼ部２に対して上動しようとしてもこの上動が立ハゼ部２の幅広頭部４に阻止されて挟持固定位置から上動できない位置決め状態で立ハゼ部２に固定される構成としている。尚、本実施例では、ハゼ頭当接部11を左右対称に設けたことにより、金具本体５の前後向きを反対にして使用することも可能である。
【００４４】
また、本実施例は、前記挟持部材６に、この挟持部７が前記立ハゼ部２の首部３を締め付け挟持した際に前記幅広頭部４の下方に配設して首部３に近接若しくは当接する係止突起14を、この挟持部材６の対向内側に向けて突設している。具体的には、挟持部７が立ハゼ部２の首部３を締め付け挟持した際に、この係止突起14が立ハゼ部２の首部３を締め付け挟持するように構成している。
【００４５】
尚、この係止突起14は、要は挟持部７が前記立ハゼ部２の首部３を締め付け挟持した際に広頭部４の下方に配設する構成であれば良いので、首部３に当接しない構成でも良い。また、この係止突起14は、挟持部７に設けても良い。
【００４６】
更に具体的には、金具本体５の長さ方向の中間部に存する左右の前記挟持部材６が他の部位より下方へ延設する形状に前記金属板を設定構成すると共に、その延設下端部を対向外側に折曲してこの折曲下端部を立ハゼ部２の左右の屋根１上面に載置する載置部24とし、この左右の載置部24よりやや上方の挟持部材６の対向内面に、金具本体５の長さ方向に所定間隔を置いて前記係止突起14を複数並設状態に設けている。
【００４７】
また、この係止突起14は、左右の挟持部材６の夫々の下端部の外側板面を内方へ凹ませるように例えばプレス押圧加工することにより、この夫々の下端部の内側板面８を対向内側へ膨出するように変形させた突起で構成している。即ち、係止突起14は、左右の挟持部材６の下端部の板面に一体成形している。図中符号25は係止突起14形成によって生じた押圧痕（凹所）である。
【００４８】
また、本実施例では、一方（左側）の複数の前記係止突起14と、他方（右側）の複数の前記係止突起14とを、左右非対称位置に配設している。
【００４９】
更に詳しくは、左側の挟持部材６の対向内面には、金具本体５の長さ方向に沿って間隔を置いた二箇所に係止突起14を設け、右側の挟持部材６の対向内面には、金具本体５の長さ方向に沿って間隔を置いた三箇所に係止突起14を設けて、この左右非対称位置に配設した係止突起14が屋根１の立ハゼ部２の首部３の左右側面に左右交互に当接して噛み合うように挟持係止し、前記挟持部７の締め付け挟持作用と相まって首部３に対する強固な締め付け挟持作用を発揮するように構成している（図４，図５参照）。
【００５０】
この係止突起14は、前述のような締め付け挟持作用を発揮するが、例えば幅広頭部４の変形等の原因によって万一金具本体５が立ハゼ部２に対し上動してしまった際には、立ハゼ部２の幅広頭部４の下側に下方から係止して上方への強固な抜止作用をも発揮できるようにしたものである。
【００５１】
また、この係止突起14は、前記挟持部７が前記立ハゼ部２の首部３を締め付け挟持した際に、幅広頭部４下側の近接下方に配するように設けて、万一金具本体５が上動しても直ちにこの係止突起14が幅広頭部４の下側に係止して抜け止め作用を発揮することになる構成としている。
【００５２】
尚、本発明は、本実施例に限られるものではなく、各構成要件の具体的構成は適宜設計し得るものである。
【符号の説明】
【００５３】
１  屋根
２  立ハゼ部
３  首部
４  幅広頭部
４Ａ  巻き込み部
５  金具本体
６  挟持部材
７  挟持部
８  雪止め材
８Ａ  アングル
９  取付部
10  締付ボルト
11  ハゼ頭当接部・傾斜縁部
12  折曲板部
13  凹状縁
14  係止突起
【図１】
2016048000.tif 000003
【図２】
2016048000.tif 000004
【図３】
2016048000.tif 000005
【図４】
2016048000.tif 000006
【図５】
2016048000.tif 000007